(57)【要約】【課題】ユーザ毎に各給紙トレイの開閉の権限を持つか否かと各給紙トレイに積載した用紙への印刷の権限を持つか否かの制御ができるような画像形成装置を提供する。【解決手段】  各給紙トレイに対する印刷の許可／禁止の設定と、各用紙サイズに対する印刷の許可／禁止の設定と、各用紙タイプに対する印刷の許可／禁止の設定の何れか１又は２以上の組み合わせに基づいて、各トレイに対する実際の印刷の許可／禁止を決定する印刷許可／禁止制御手段を備え、前記各給紙トレイに対する印刷の許可／禁止の設定と、前記各用紙サイズに対する印刷の許可／禁止の設定と、前記各用紙タイプに対する印刷の許可／禁止の設定のうちの前記印刷許可／禁止制御手段が実際の印刷の許可／禁止を決定するために用いる設定のうちの少なくとも一部は、利用者毎に異ならせることが可能である【選択図】図１１Ｃ
2019093580.tif 000002
【特許請求の範囲】
【請求項１】
各給紙トレイに対する印刷の許可／禁止の設定と、各用紙サイズに対する印刷の許可／禁止の設定と、各用紙タイプに対する印刷の許可／禁止の設定の何れか１又は２以上の組み合わせに基づいて、各トレイに対する実際の印刷の許可／禁止を決定する印刷許可／禁止制御手段を備え、
前記各給紙トレイに対する印刷の許可／禁止の設定と、前記各用紙サイズに対する印刷の許可／禁止の設定と、前記各用紙タイプに対する印刷の許可／禁止の設定のうちの前記印刷許可／禁止制御手段が実際の印刷の許可／禁止を決定するために用いる設定のうちの少なくとも一部は、利用者毎に異ならせることが可能であることを特徴とする画像形成装置。
【請求項２】
請求項１に記載の画像形成装置であって、
前記印刷許可／禁止制御手段は、前記各給紙トレイに対する印刷の許可／禁止の設定と、前記各用紙サイズに対する印刷の許可／禁止の設定と、前記各用紙タイプに対する印刷の許可／禁止の設定の何れか２以上の組み合わせに基づいて、実際の印刷の許可／禁止を決定する場合には、決定に用いる設定の全てが許可ならば実際の印刷許可の決定をすることを特徴とする画像形成装置。
【請求項３】
請求項１又は２に記載の画像形成装置であって、
オリジナル用紙タイプの用紙に対しては、前記各用紙サイズに対する印刷の許可／禁止の設定と、前記各用紙タイプに対する印刷の許可／禁止の設定の双方の代わりに前記オリジナル用紙タイプに対する印刷の許可／禁止の設定が用いられることを特徴とする画像形成装置。
【請求項４】
請求項１乃至３の何れか１項に記載の画像形成装置であって、
各給紙トレイに対する給紙トレイ開閉の許可／禁止の設定と、各用紙サイズに対する給紙トレイ開閉の許可／禁止の設定と、各用紙タイプに対する給紙トレイ開閉の許可／禁止の設定の何れか１又は２以上の組み合わせに基づいて、各トレイに対する実際の給紙トレイ開閉の許可／禁止を決定する給紙トレイ開閉許可／禁止制御手段を更に備え、
前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の設定のうちの前記印刷許可／禁止制御手段が実際の給紙トレイ開閉の許可／禁止を決定するために用いる設定のうちの少なくとも一部は、利用者毎に異ならせることが可能であることを特徴とする画像形成装置。
【請求項５】
請求項４に記載の画像形成装置であって、
前記前記給紙トレイ開閉許可／禁止制御手段は、前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の２以上の組み合わせに基づいて、実際の給紙トレイ開閉の許可／禁止を決定する場合には、決定に用いる設定の全てが許可ならば実際の給紙トレイ開閉許可の決定をすることを特徴とする画像形成装置。
【請求項６】
請求項４又は５に記載の画像形成装置であって、
オリジナル用紙タイプの用紙に対しては、前記各用紙サイズに対する給紙トレイ開閉の許可／禁止の設定と、前記各用紙タイプに対する給紙トレイ開閉の許可／禁止の双方の代わりに前記オリジナル用紙タイプに対する給紙トレイ開閉の許可／禁止の設定が用いられることを特徴とする画像形成装置。
【請求項７】
請求項１乃至６の何れか１項に記載の画像形成装置であって、
トレイを表示する画面において、各トレイに対して実際の印刷許可の決定がされているか否かと、実際のトレイ開閉の許可が決定されているか否かに基づいて、そのトレイに対して割り当てられている用紙のサイズを表示するか否かを制御する表示制御手段を更に備えることを特徴とする画像形成装置。
【請求項８】
請求項１乃至７の何れか１項に記載の画像形成装置であって、
用紙サイズ選択画面において、印刷許可の決定がされた用紙サイズに対して用紙サイズが選択できるような表示をするが、印刷禁止の決定がされた用紙サイズに対して用紙サイズが選択できないような表示をする表示制御手段を更に備えることを特徴とする画像形成装置。
【請求項９】
請求項１乃至８の何れか１項に記載の画像形成装置であって、
用紙タイプ選択画面において、印刷許可の決定がされた用紙タイプに対して用紙タイプが選択できるような表示をするが、印刷禁止の決定がされた用紙タイプに対して用紙タイプが選択できないような表示をする表示制御手段を更に備えることを特徴とする画像形成装置。
【請求項１０】
各給紙トレイに対する給紙トレイ開閉の許可／禁止の設定と、各用紙サイズに対する給紙トレイ開閉の許可／禁止の設定と、各用紙タイプに対する給紙トレイ開閉の許可／禁止の設定の何れか１又は２以上の組み合わせに基づいて、各トレイに対する実際の給紙トレイ開閉の許可／禁止を決定する給紙トレイ開閉許可／禁止制御手段を備え、
前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の設定のうちの前記印刷許可／禁止制御手段が実際の給紙トレイ開閉の許可／禁止を決定するために用いる設定のうちの少なくとも一部は、利用者毎に異ならせることが可能であることを特徴とする画像形成装置。
【請求項１１】
請求項１０に記載の画像形成装置であって、
前記前記給紙トレイ開閉許可／禁止制御手段は、前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の２以上の組み合わせに基づいて、実際の給紙トレイ開閉の許可／禁止を決定する場合には、決定に用いる設定の全てが許可ならば実際の給紙トレイ開閉許可の決定をすることを特徴とする画像形成装置。
【請求項１２】
請求項１０又は１１に記載の画像形成装置であって、
オリジナル用紙タイプの用紙に対しては、前記各用紙サイズに対する給紙トレイ開閉の許可／禁止の設定と、前記各用紙タイプに対する給紙トレイ開閉の許可／禁止の双方の代わりに前記オリジナル用紙タイプに対する給紙トレイ開閉の許可／禁止の設定が用いられることを特徴とする画像形成装置。
【請求項１３】
請求項１乃至１２の何れか１項に記載の画像形成装置を備えることを特徴とする複合機。
【請求項１４】
請求項１乃至１２の何れか１項に記載の画像形成装置としてコンピュータを機能させるためのプログラム。
【請求項１５】
各給紙トレイに対する印刷の許可／禁止の設定と、各用紙サイズに対する印刷の許可／禁止の設定と、各用紙タイプに対する印刷の許可／禁止の設定の何れか１又は２以上の組み合わせに基づいて、各トレイに対する実際の印刷の許可／禁止を決定する印刷許可／禁止制御ステップを有し、
前記各給紙トレイに対する印刷の許可／禁止の設定と、前記各用紙サイズに対する印刷の許可／禁止の設定と、前記各用紙タイプに対する印刷の許可／禁止の設定のうちの前記印刷許可／禁止制御手ステップで実際の印刷の許可／禁止を決定するために用いる設定のうちの少なくとも一部は、利用者毎に異ならせることが可能であることを特徴とする画像形成装置に対する制御方法。
【請求項１６】
各給紙トレイに対する給紙トレイ開閉の許可／禁止の設定と、各用紙サイズに対する給紙トレイ開閉の許可／禁止の設定と、各用紙タイプに対する給紙トレイ開閉の許可／禁止の設定の何れか１又は２以上の組み合わせに基づいて、各トレイに対する実際の給紙トレイ開閉の許可／禁止を決定する給紙トレイ開閉許可／禁止制御ステップを有し、
前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の設定のうちの前記印刷許可／禁止制御ステップで実際の給紙トレイ開閉の許可／禁止を決定するために用いる設定のうちの少なくとも一部は、利用者毎に異ならせることが可能であることを特徴とする画像形成装置に対する制御方法。
【発明の詳細な説明】
【技術分野】
【０００１】
本発明は、画像形成装置、複合機及び画像形成装置に対する制御方法に関する。
【背景技術】
【０００２】
複合機には、１つ以上の給紙トレイ（以下、単に「トレイ」ということもある。）が備わり、各給紙トレイには、ユーザにより選択された用紙が積載される。
【先行技術文献】
【特許文献】
【０００３】
【特許文献１】特開２０１５−１７４７５６号公報
【特許文献２】特開２０１５−１８２４４３号公報
【発明の概要】
【発明が解決しようとする課題】
【０００４】
複合機を用いて、通常の用紙に通常の印刷をするだけであるならば、特に、用紙に関して、セキュリティを高める必要はないかもしれないが、例えば、高級紙をトレイに入れたままにして自由に印刷ができてしまう状況では、意図的でないとしても、本来ならば通常紙を用いてもよいのに、高級紙が印刷用に使われてしまうおそれがある。また、他人により高級紙がトレイから取り出されてしまうおそれもある。更に、高級紙専用のトレイに他人により通常紙が積載されてしまうおそれもある。更に、高級紙を高級紙専用のトレイに積載するつもりなのに、誤って通常紙のトレイに積載してしまうおそれもある。
【０００５】
また、通常紙を用いる場合であっても、例えば、どのトレイをどの部門で使用するかを運用で定めていても、実際にそれに対応した機能が複合機に備わっていないと、それが守れないおそれがある。用紙について部門別の予算管理をしているのであれば、他の部門により自部門の用紙が印刷用に使われてしまったり、印刷外の目的などでトレイから取り出されてしまうと、予算管理通りの運用ができないことになってしまう。自部門のトレイに用紙を補給するつもりでいて、誤って他部門のトレイに用紙を補給してしまうと、自部門にとっての損失となってしまう。
【０００６】
更に、複合機において、従来から給紙トレイにセットされた高額な用紙（官製はがきなど）の盗難防止のために、錠前が装備された給紙トレイがあったが、鍵を持っているユーザしか給紙トレイの開閉ができなかった。鍵を掛けていても給紙トレイから給紙できるためセキュリティ上、不十分であった。
【０００７】
更に、特定の給紙トレイの開閉と、その給紙トレイにある用紙を用いた印刷が禁止されていても、操作画面上にその給紙トレイにある高額な用紙サイズが表示されていると、第三者にその高額用紙の場所がわかってしまい、これは、セキュリティ上、不十分であった。
【０００８】
特許文献１には、用紙の残量が所定量を下回ると、管理者でなくても給紙トレイのロックを解除することができる複合機が記載されているが、これは、セキュリティ上、問題を発生する場合がある。
【０００９】
特許文献２には、各給紙トレイを選択的に施錠／解錠する機能を有する複合機が記載されているが、この機能を有効に使うためには、ユーザがどのトレイにどのような用紙が積載されているかを把握しておく必要がある。
【００１０】
そこで、トレイに用紙を積載したり、トレイから用紙を取り除くこと、それに、どのトレイに積載されているどのような種類の用紙を用いて印刷するかを利用者や部門別に管理することが望まれる。そして、それにより用紙に関するセキュリティを高めたり、経済的損失を未然に防ぐことが望まれる。
【００１１】
そこで、本発明は、用紙に関し、セキュリティを高めるための制御ができるような画像形成装置、複合機及び画像形成装置に対する制御方法を提供することを目的とする。
【課題を解決するための手段】
【００１２】
本発明によれば、
各給紙トレイに対する印刷の許可／禁止の設定と、各用紙サイズに対する印刷の許可／禁止の設定と、各用紙タイプに対する印刷の許可／禁止の設定の何れか１又は２以上の組み合わせに基づいて、各トレイに対する実際の印刷の許可／禁止を決定する印刷許可／禁止制御手段を備え、
前記各給紙トレイに対する印刷の許可／禁止の設定と、前記各用紙サイズに対する印刷の許可／禁止の設定と、前記各用紙タイプに対する印刷の許可／禁止の設定のうちの前記印刷許可／禁止制御手段が実際の印刷の許可／禁止を決定するために用いる設定のうちの少なくとも一部は、利用者毎に異ならせることが可能であることを特徴とする画像形成装置が提供される。
【００１３】
また、本発明によれば、
各給紙トレイに対する給紙トレイ開閉の許可／禁止の設定と、各用紙サイズに対する給紙トレイ開閉の許可／禁止の設定と、各用紙タイプに対する給紙トレイ開閉の許可／禁止の設定の何れか１又は２以上の組み合わせに基づいて、各トレイに対する実際の給紙トレイ開閉の許可／禁止を決定する給紙トレイ開閉許可／禁止制御手段を備え、
前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の設定のうちの前記印刷許可／禁止制御手段が実際の給紙トレイ開閉の許可／禁止を決定するために用いる設定のうちの少なくとも一部は、利用者毎に異ならせることが可能であることを特徴とする画像形成装置が提供される。
【００１４】
更に、本発明によれば、上記の像形成装置を備えることを特徴とする複合機が提供される。
【００１５】
更に、本発明によれば、上記の画像形成装置としてコンピュータを機能させるためのプログラムが提供される。
【００１６】
更に、本発明によれば、
各給紙トレイに対する印刷の許可／禁止の設定と、各用紙サイズに対する印刷の許可／禁止の設定と、各用紙タイプに対する印刷の許可／禁止の設定の何れか１又は２以上の組み合わせに基づいて、各トレイに対する実際の印刷の許可／禁止を決定する印刷許可／禁止制御ステップを有し、
前記各給紙トレイに対する印刷の許可／禁止の設定と、前記各用紙サイズに対する印刷の許可／禁止の設定と、前記各用紙タイプに対する印刷の許可／禁止の設定のうちの前記印刷許可／禁止制御手ステップで実際の印刷の許可／禁止を決定するために用いる設定のうちの少なくとも一部は、利用者毎に異ならせることが可能であることを特徴とする画像形成装置に対する制御方法が提供される。
【００１７】
更に、本発明によれば、
各給紙トレイに対する給紙トレイ開閉の許可／禁止の設定と、各用紙サイズに対する給紙トレイ開閉の許可／禁止の設定と、各用紙タイプに対する給紙トレイ開閉の許可／禁止の設定の何れか１又は２以上の組み合わせに基づいて、各トレイに対する実際の給紙トレイ開閉の許可／禁止を決定する給紙トレイ開閉許可／禁止制御ステップを有し、
前記各給紙トレイに対する給紙トレイ開閉の許可／禁止の設定と、前記各用紙サイズに対する給紙トレイ開閉の許可／禁止の設定と、前記各用紙タイプに対する給紙トレイ開閉の許可／禁止の設定のうちの前記印刷許可／禁止制御ステップで実際の給紙トレイ開閉の許可／禁止を決定するために用いる設定のうちの少なくとも一部は、利用者毎に異ならせることが可能であることを特徴とする画像形成装置に対する制御方法が手依拠される。
【発明の効果】
【００１８】
本発明によれば、ユーザ毎に各給紙トレイの開閉の権限を持つか否かと各給紙トレイに積載した用紙への印刷の権限を持つか否かの制御ができる。
【図面の簡単な説明】
【００１９】
【図１Ａ】本発明の共通の実施の形態における、各ユーザに対してトレイ開閉の権限と印刷の権限を付与するか否かを設定するための画面を示す図である。
【図１Ｂ】本発明の共通の実施の形態における、各ユーザに対してトレイ毎にトレイ開閉の権限と印刷の権限を付与するか否かを設定するための画面を示す図である。
【図１Ｃ】本発明の共通の実施の形態における、各ユーザに対して用紙タイプ毎にトレイ開閉の権限と印刷の権限を付与するか否かを設定するための画面を示す図である。
【図１Ｄ】本発明の共通の実施の形態における、各ユーザに対して用紙サイズ毎にトレイ開閉の権限と印刷の権限を付与するか否かを設定するための画面を示す図である。
【図１Ｅ】本発明の共通の実施の形態における、各ユーザに対してオリジナルの用紙タイプ毎にトレイ開閉の権限と印刷の権限を付与するか否かを設定するための画面を示す図である。
【図２Ａ】本発明の第１の実施の形態における、或るユーザに対するトレイ毎のトレイ開閉の権限と印刷の権限を示す表である。
【図２Ｂ】本発明の第１の実施の形態における、各トレイに積載された用紙のタイプとサイズを示す表である。
【図２Ｃ】本発明の第１の実施の形態における、各トレイに対する最終的なトレイ開閉許可／禁止を示す表である。
【図２Ｄ】本発明の第１の実施の形態における、各トレイに対する最終的な印刷許可／禁止を示す表である。
【図２Ｅ】本発明の第１の実施の形態における、各トレイに対して画面に表示される用紙サイズを示す表である。
【図３Ａ】本発明の第２の実施の形態における、或るユーザに対する用紙タイプ毎のトレイ開閉の権限と印刷の権限を示す表である。
【図３Ｂ】本発明の第２の実施の形態における、各トレイに積載された用紙のタイプとサイズを示す表である。
【図３Ｃ】本発明の第２の実施の形態における、各トレイに対する最終的なトレイ開閉許可／禁止を示す表である。
【図３Ｄ】本発明の第２の実施の形態における、各トレイに対する最終的な印刷許可／禁止を示す表である。
【図３Ｅ】本発明の第２の実施の形態における、各トレイに対して画面に表示される用紙サイズを示す表である。
【図４Ａ】本発明の第３の実施の形態における、或るユーザに対する用紙サイズ毎のトレイ開閉の権限と印刷の権限を示す表である。
【図４Ｂ】本発明の第３の実施の形態における、各トレイに積載された用紙のタイプとサイズを示す表である。
【図４Ｃ】本発明の第３の実施の形態における、各トレイに対する最終的なトレイ開閉許可／禁止を示す表である。
【図４Ｄ】本発明の第３の実施の形態における、各トレイに対する最終的な印刷許可／禁止を示す表である。
【図４Ｅ】本発明の第３の実施の形態における、各トレイに対して画面に表示される用紙サイズを示す表である。
【図５Ａ】本発明の第４の実施の形態における、或るユーザに対する用紙サイズ毎のトレイ開閉の権限と印刷の権限を示す表である。
【図５Ｂ】本発明の第４の実施の形態における、或るユーザに対する用紙タイプ毎のトレイ開閉の権限と印刷の権限を示す表である。
【図５Ｃ】本発明の第４の実施の形態における、各トレイに積載された用紙のタイプとサイズを示す表である。
【図５Ｄ】本発明の第４の実施の形態における、各トレイに対する最終的なトレイ開閉許可／禁止を示す表である。
【図５Ｅ】本発明の第４の実施の形態における、各トレイに対する最終的な印刷許可／禁止を示す表である。
【図５Ｆ】本発明の第４の実施の形態における、各トレイに対して画面に表示される用紙サイズを示す表である。
【図６Ａ】本発明の第５の実施の形態における、或るユーザに対する用紙サイズ毎のトレイ開閉の権限と印刷の権限を示す表である。
【図６Ｂ】本発明の第５の実施の形態における、或るユーザに対する用紙タイプ毎のトレイ開閉の権限と印刷の権限を示す表である。
【図６Ｃ】本発明の第５の実施の形態における、各トレイに積載された用紙のタイプとサイズを示す表である。
【図６Ｄ】本発明の第５の実施の形態における、各トレイに対する最終的なトレイ開閉許可／禁止を示す表である。
【図６Ｅ】本発明の第５の実施の形態における、各トレイに対する最終的な印刷許可／禁止を示す表である。
【図６Ｆ】本発明の第５の実施の形態における、各トレイに対して画面に表示される用紙サイズを示す表である。
【図７Ａ】本発明の第６の実施の形態における、或るユーザに対する用紙サイズ毎のトレイ開閉の権限と印刷の権限を示す表である。
【図７Ｂ】本発明の第６の実施の形態における、或るユーザに対する用紙タイプ毎のトレイ開閉の権限と印刷の権限を示す表である。
【図７Ｃ】本発明の第６の実施の形態における、或るユーザに対するトレイ毎のトレイ開閉の権限と印刷の権限を示す表である。
【図７Ｄ】本発明の第６の実施の形態における、各トレイに積載された用紙のタイプとサイズを示す表である。
【図７Ｅ】本発明の第６の実施の形態における、各トレイに対する最終的なトレイ開閉許可／禁止を示す表である。
【図７Ｆ】本発明の第６の実施の形態における、各トレイに対する最終的な印刷許可／禁止を示す表である。
【図７Ｇ】本発明の第６の実施の形態における、各トレイに対して画面に表示される用紙サイズを示す表である。
【図８Ａ】本発明の第７の実施の形態における、或るユーザに対する用紙サイズ毎のトレイ開閉の権限と印刷の権限を示す表である。
【図８Ｂ】本発明の第７の実施の形態における、或るユーザに対する用紙タイプ毎のトレイ開閉の権限と印刷の権限を示す表である。
【図８Ｃ】本発明の第７の実施の形態における、或るユーザに対するトレイ毎のトレイ開閉の権限と印刷の権限を示す表である。
【図８Ｄ】本発明の第７の実施の形態における、各トレイに積載された用紙のタイプとサイズを示す表である。
【図８Ｅ】本発明の第７の実施の形態における、各トレイに対する最終的なトレイ開閉許可／禁止を示す表である。
【図８Ｆ】本発明の第７の実施の形態における、各トレイに対する最終的な印刷許可／禁止を示す表である。
【図８Ｇ】本発明の第７の実施の形態における、各トレイに対して画面に表示される用紙サイズを示す表である。
【図９】本発明の共通の実施の形態において全てのトレイに対して用紙サイズが操作画面に表示された例を示す図である。
【図１０】本発明の共通の実施の形態において１つのトレイを除いた全てのトレイに対して用紙サイズが操作画面に表示された例を示す図である。
【図１１Ａ】本発明の共通の実施の形態においてユーザがログインする時の複合機の動作を説明するためのフローチャートである。
【図１１Ｂ】本発明の共通の実施の形態においてトレイ開閉ボタンが押された時の複合機の動作を説明するためのフローチャートである。
【図１１Ｃ】本発明の共通の実施の形態において印刷要求を受けた時の複合機の動作を説明するためのフローチャートである。
【図１２Ａ】本発明の第１の実施の形態においてユーザがログインする時の複合機の動作を説明するためのフローチャートである。
【図１２Ｂ】本発明の第１の実施の形態においてトレイ毎に設けられたトレイ開閉ボタンが押された時の複合機の動作を説明するためのフローチャートである。
【図１２Ｃ】本発明の第１の実施の形態において印刷要求を受けた時の複合機の動作を説明するためのフローチャートである。
【図１３Ａ】本発明の第２の実施の形態においてユーザがログインする時の複合機の動作を説明するためのフローチャートである。
【図１３Ｂ】本発明の第２の実施の形態においてトレイ毎に設けられたトレイ開閉ボタンが押された時の複合機の動作を説明するためのフローチャートである。
【図１３Ｃ】本発明の第２の実施の形態において印刷要求を受けた時の複合機の動作を説明するためのフローチャートである。
【図１４Ａ】本発明の第３の実施の形態においてユーザがログインする時の複合機の動作を説明するためのフローチャートである。
【図１４Ｂ】本発明の第３の実施の形態においてトレイ毎に設けられたトレイ開閉ボタンが押された時の複合機の動作を説明するためのフローチャートである。
【図１４Ｃ】本発明の第３の実施の形態において印刷要求を受けた時の複合機の動作を説明するためのフローチャートである。
【図１５】本発明の第４及び第５の実施の形態においてユーザがログインする時の複合機の動作を説明するためのフローチャートである。
【図１６】本発明の第６及び第７の実施の形態においてユーザがログインする時の複合機の動作を説明するためのフローチャートである。
【図１７】本発明の共通の実施の形態においてトレイの表紙サイズの画面表示を制御する動作を説明するためのフローチャートである。
【図１８】本発明の共通の実施の形態による複合機の概念的断面図である。
【図１９】本発明の共通の実施の形態による複合機の機能ブロック図である。
【発明を実施するための形態】
【００２０】
以下、図面を参照して本発明を実施するための形態について詳細に説明する。
【００２１】
［共通の実施の形態］
第１の形態においては、複合機は、トレイの開閉を電気的にロックできる機構を備えている。また、トレイに搭載されている用紙のサイズとタイプを検出したり、入力したりする機能を有している。更に、ユーザ認証をしないとユーザは複合機を利用することができない機能を有している。
【００２２】
管理者などは、各ユーザに対してトレイ開閉の権限と、印刷の権限を各々付与するか否かを図１Ａに示すような画面を用いて設定する。図１Ａに示す例では、山田太郎さんは、トレイ開閉の権限と印刷の権限を持つように設定され、山田花子さんは、トレイ開閉の権限を持つが、印刷の権限を持たないように設定されている。図１Ａで設定された権限は、権限テーブルにユーザ毎に格納される。権限テーブルには、ユーザＩＤと各権限が対応付けられた状態で格納される。
【００２３】
また、管理者などは、図１Ｂに示すような画面を用いて、各ユーザに対して、トレイ毎にトレイ開閉の権限を与えるか否かと印刷の権限を与えるか否かの設定をする。図１Ｂの例では、設定の対象となっているユーザに対して、トレイ＃１の開閉の権限とトレイ＃１にある用紙を用いた印刷の権限が与えられているが、他のトレイに対してはそのような権限が与えられていない。なお、このような権限が直接的に適用されるとは限らず、後述するように、他の種類の権限との組み合わせにより最終的な権限が決定される場合もある。
【００２４】
更に、管理者などは、図１Ｃに示すような画面を用いて、各ユーザに対して、用紙タイプ毎にトレイ開閉の権限を与えるか否かと印刷の権限を与えるか否かの設定をする。図１Ｃの例では、設定の対象となっているユーザに対して、普通紙に対応したトレイの開閉の権限と普通紙を用いた印刷の権限が与えられ、更に、光沢紙に対応したトレイの開閉の権限が与えられている。なお、このような権限が直接的に適用されるとは限らず、後述するように、他の種類の権限との組み合わせにより最終的な権限が決定される場合もある。
【００２５】
更に、管理者などは、図１Ｄに示すような画面を用いて、各ユーザに対して、用紙サイズ毎にトレイ開閉の権限を与えるか否かと印刷の権限を与えるか否かの設定をする。図１Ｄの例では、設定の対象となっているユーザに対して、Ａ４サイズ用紙に対応したトレイの開閉の権限とＡ４サイズの用紙を用いた印刷の権限が与えられ、更に、はがきに対応したトレイの開閉の権限が与えられている。なお、このような権限が直接的に適用されるとは限らず、後述するように、他の種類の権限との組み合わせにより最終的な権限が決定される。
【００２６】
更に、管理者などは、図１Ｅに示すような画面を用いて、各ユーザに対して、オリジナルの用紙タイプ毎に、それに対応するトレイの開閉の権限を与えるか否かと印刷の権限を与えるか否かの設定をする。図１Ｅの例では、設定の対象となっているユーザに対して、「特別紙」という名称のオリジナルの用紙タイプに対応するトレイの開閉の権限が与えられているが、そのタイプの用紙を用いた印刷の権限は与えられていない。なお、このような権限が直接的に適用されるとは限らず、後述するように、他の種類の権限との組み合わせにより最終的な権限が決定される。
【００２７】
［第１の実施の形態］
図２Ａ乃至図２Ｅを参照すると、トレイに関連した権限のみで最終的な権限を決定する場合には、図２Ａに示すようなトレイに対する権限の設定があり、図２Ｂに示すようにタイプとサイズで区別される用紙が各トレイに積載されている場合には、図２Ｃに示すようなトレイ開閉の権限が決定され、図２Ｄに示すような印刷の権限が決定される。また、図２Ｅに示すように用紙サイズの画面表示が決定される。ここで、表示されることが決定された用紙サイズは、操作画面において複合機のトレイ部分に重ねて表示される。また、トレイ開閉の権限の有無にかかわらず、印刷可能であることが決定された用紙サイズは、用紙サイズ選択画面において選択可能な形態で表示される。
【００２８】
図２Ｃに示すように、トレイに対して直接的に設定されているトレイ開閉の権限が最終的なトレイに対するトレイ開閉の権限として設定されている。また、図２Ｄに示すように、トレイに対して直接的に設定されている印刷の権限が最終的な印刷の権限として設定されている。更に、図２Ｅに示すように、開閉可能であり且つ印刷可能であるトレイに積載されている用紙のサイズがそのトレイに重ねて表示される。更に、開閉可能か否かにかかわらず印刷可能であるトレイに積載されている用紙のサイズが選択可能になる。
【００２９】
例えば、トレイ＃１には、タイプが厚紙でサイズがＡ４の用紙が積載されているが、図２Ａの表では、トレイ＃１に対しては、トレイ開閉の権限が与えられ、印刷の権限も与えられているので、図２Ｃに示すように、トレイ開閉が許可され、図２Ｄに示すように、印刷が許可される。また、図２Ｅに示すように、ここに積載されている用紙サイズＡ４の画面表示もトレイ＃１の部分に重ねてされる。更に、用紙選択画面において用紙サイズＡ４が選択可能になる。
【００３０】
また、例えば、トレイ＃３には、タイプが厚紙でサイズがＢ５の用紙が積載されているが、図２Ａの表では、トレイ＃３に対しては、トレイ開閉の権限が与えられていなくて、印刷の権限も与えられていないので、図２Ｃに示すように、トレイ開閉が禁止され、図２Ｄに示すように、印刷が禁止される。また、図２Ｅに示すように、ここに積載されている用紙サイズＢ５の画面表示はトレイ＃３の部分に重ねてされない。更に、他の何れのトレイに対しても選択可能になっていないならば、用紙選択画面において用紙サイズＢ５が選択不能になる。
【００３１】
［第２の実施の形態］
図３Ａ乃至図３Ｅを参照すると、用紙タイプに関連した権限のみで最終的な権限を決定する場合には、図３Ａに示すような権限の設定があり、図３Ｂに示すように各トレイにタイプとサイズで区別される用紙が積載されている場合には、図３Ｃに示すようなトレイ開閉の権限が決定され、図３Ｄに示すような印刷の権限が決定される。また、図３Ｅに示すように表紙サイズの画面表示が決定される。ここで、表示されることが決定された用紙サイズは、操作画面において複合機のトレイ部分に重ねて表示される。また、トレイ開閉の権限の有無にかかわらず、印刷可能であることが決定された用紙サイズは、用紙サイズ選択画面において選択可能な形態で表示される。
【００３２】
図３Ｃに示すように、トレイに積載されている用紙のタイプに対して直接的に設定されているトレイ開閉の権限が最終的なトレイに対するトレイ開閉の権限として設定されている。また、図３Ｄに示すように、トレイに積載されている用紙のタイプに対して直接的に設定されている印刷の権限がトレイに対する最終的な印刷の権限として設定されている。更に、図３Ｅに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００３３】
例えば、トレイ＃１には、タイプが厚紙でサイズがＡ４の用紙が積載されているが、図３Ａの表では、トレイ＃１に積載されている用紙タイプである厚紙に対しては、トレイ開閉の権限が与えられ、印刷の権限も与えられているので、図３Ｃに示すように、トレイ開閉が許可され、図３Ｄに示すように、印刷が許可され、図３Ｅに示すように、ここに積載されている用紙サイズＡ４の画面表示もトレイ＃１の部分に重ねてされる。更に、用紙選択画面において用紙サイズＡ４が選択可能になる。
【００３４】
また、例えば、トレイ＃５には、タイプが光沢紙でサイズがＡ４の用紙が積載されているが、図３Ａの表では、トレイ＃１に積載されている用紙タイプである光沢紙に対しては、トレイ開閉の権限が与えられていないが、印刷の権限は与えられているので、図３Ｃに示すように、トレイ開閉が禁止され、図３Ｄに示すように、印刷が許可され、図３Ｅに示すように、ここに積載されている用紙サイズＡ４の画面表示はトレイ＃１の部分に重ねてされる。更に、用紙選択画面において用紙サイズＡ４が選択可能になる。
【００３５】
［第３の実施の形態］
図４Ａ乃至図４Ｅを参照すると、用紙サイズに関連した権限のみで最終的な権限を決定する場合には、図４Ａに示すような権限の設定があり、図４Ｂに示すように各トレイにタイプとサイズで区別される用紙が積載されている場合には、図４Ｃに示すようなトレイ開閉の権限が決定され、図４Ｄに示すような印刷の権限が決定される。また、図４Ｅに示すように表紙サイズの画面表示が決定される。また、図４Ｅに示すように用紙サイズの画面表示が決定される。ここで、表示されることが決定された用紙サイズは、操作画面において複合機のトレイ部分に重ねて表示される。また、トレイ開閉の権限の有無にかかわらず、印刷可能であることが決定された用紙サイズは、用紙サイズ選択画面において選択可能な形態で表示される。
【００３６】
図４Ｃに示すように、トレイに積載されている用紙のサイズに対して直接的に設定されているトレイ開閉の権限が最終的なトレイに対するトレイ開閉の権限として設定されている。また、図４Ｄに示すように、トレイに積載されている用紙のサイズに対して直接的に設定されている印刷の権限がトレイに対する最終的な印刷の権限として設定されている。更に、図４Ｅに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００３７】
例えば、トレイ＃１には、タイプが厚紙でサイズがＡ４の用紙が積載されているが、図４Ａの表では、トレイ＃１に積載されている用紙サイズであるＡ４に対しては、トレイ開閉の権限が与えられ、印刷の権限も与えられているので、図４Ｃに示すように、トレイ開閉が許可され、図４Ｄに示すように、印刷が許可され、図４Ｅに示すように、ここに積載されている用紙サイズＡ４の画面表示もトレイ＃１の部分に重ねてされる。更に、用紙選択画面において用紙サイズＡ４が選択可能になる。
【００３８】
また、例えば、トレイ＃４には、タイプが普通紙でサイズがＡ４Ｒの用紙が積載されているが、図４Ａの表では、トレイ＃１に積載されている用紙サイズであるＡ４Ｒに対しては、トレイ開閉の権限が与えられておらず、印刷の権限も与えられていないので、図４Ｃに示すように、トレイ開閉が禁止され、図４Ｄに示すように、印刷が禁止され、図４Ｅに示すように、ここに積載されている用紙サイズＡ４Ｒの画面表示はトレイ＃３の部分に重ねてされない。更に、他の何れのトレイに対しても選択可能になっていないならば、用紙選択画面において用紙サイズＡ４が選択不可能になる。
【００３９】
［第４の実施の形態］
図５Ａ乃至図５Ｆを参照すると、用紙タイプに関連した権限と用紙サイズに関連した権限の組合せで最終的な権限を決定する場合（例えば、両方の権限がある場合にのみ最終的な権限を与えるような場合。但し、これには限定されない。）には、図５Ａ及び図５Ｂに示すような用紙サイズと用紙タイプに対する権限の設定があり、図５Ｃに示すようにタイプとサイズで区別される用紙が各トレイに積載されている場合には、図５Ｄに示すようなトレイ開閉の権限が決定され、図５Ｅに示すような印刷の権限が決定される。また、図５Ｆに示すように表紙サイズの画面表示が決定される。また、用紙サイズ選択画面においては、図５Ｆにおいてトレイに重ねて表示されるとされている用紙サイズが選択可能な用紙サイズとして表示される。
【００４０】
図５Ｄに示すように、トレイに積載されている用紙のタイプに対して直接的に設定されているトレイ開閉の権限と、トレイに積載されている用紙のサイズに設定されているトレイ開閉の権限の双方が許可である場合に最終的なトレイに対するトレイ開閉の権限が許可となるように設定されている。但し、これに限らず、何れか一方が許可である場合にも最終的なトレイに対するトレイ開閉の権限を許可にしてもよい。また、図５Ｅに示すように、トレイに積載されている用紙のタイプに対して直接的に設定されている印刷の権限と、トレイに積載されている用紙のサイズに設定されている印刷の権限の双方が許可である場合に最終的なトレイに対する印刷の権限が許可となるように設定されている。但し、これに限らず、何れか一方が許可である場合にも最終的なトレイに対する印刷の権限を許可にしてもよい。更に、図５Ｆに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００４１】
例えば、トレイ＃１には、タイプが厚紙でサイズがＡ４の用紙が積載されているが、図５Ａの表では、トレイ＃１に積載されている用紙サイズであるＡ４に対しては、トレイ開閉の権限が与えられ、印刷の権限も与えられており、トレイ＃１に積載されている用紙タイプである厚紙に対しては、トレイ開閉の権限が与えられ、印刷の権限も与えられているので、トレイ＃1に対しては、図５Ｄに示すように、トレイ開閉が許可され、図５Ｅに示すように、印刷が許可され、図５Ｆに示すように、ここに積載されている用紙サイズＡ４の画面表示もトレイ＃１の部分に重ねてされる。更に、用紙選択画面において用紙サイズＡ４が選択可能になる。
【００４２】
また、例えば、トレイ＃４には、タイプが普通紙でサイズがＡ４Ｒの用紙が積載されているが、図５Ａの表では、トレイ＃１に積載されている用紙サイズであるＡ４Ｒに対しては、トレイ開閉の権限も、印刷の権限も与えられておらず、トレイ＃１に積載されている用紙タイプである普通紙に対しては、トレイ開閉の権限が与えられ、印刷の権限も与えられているので、トレイ＃4に対しては、図５Ｄに示すように、トレイ開閉が禁止され、図５Ｅに示すように、トレイ印刷も禁止される。また、図５Ｆに示すように、トレイ＃4に積載されている用紙サイズＡ４の画面表示はされない。更に、用紙選択画面において用紙サイズＡ４Ｒが選択可能になる。
【００４３】
［第５の実施の形態］
図６Ａ乃至図６Ｆは、オリジナル用紙タイプの用紙が積載されているトレイに関しては、そのオリジナル用紙タイプに関連した権限のみで最終的な権限を決定する場合を示すものである。図６Ａ及び図６Ｂに示すような権限の設定があり（特に、オリジナル用紙タイプに対しては、図６Ｂに示すような権限の設定があり）、図６Ｃに示すようにタイプとサイズで区別される用紙が各トレイに積載されている場合には、図６Ｄに示すようなトレイ開閉の権限が決定され、図６Ｅに示すような印刷の権限が決定される。また、図６Ｆに示すように表紙サイズの画面表示が決定される。ここで、表示されることが決定された用紙サイズは、操作画面において複合機のトレイ部分に重ねて表示される。また、トレイ開閉の権限の有無にかかわらず、印刷可能であることが決定された用紙サイズは、用紙サイズ選択画面において選択可能な形態で表示される。
【００４４】
図６Ｄに示すように、トレイに積載されている用紙のタイプに対して直接的に設定されているトレイ開閉の権限と、トレイに積載されている用紙のサイズに設定されているトレイ開閉の権限の双方が許可である場合に最終的なトレイに対するトレイ開閉の権限が許可となるように設定されている。但し、これに限らず、何れか一方が許可である場合にも最終的なトレイに対するトレイ開閉の権限を許可にしてもよい。また、図６Ｅに示すように、トレイに積載されている用紙のタイプに対して直接的に設定されている印刷の権限と、トレイに積載されている用紙のサイズに設定されている印刷の権限の双方が許可である場合に最終的なトレイに対する印刷の権限が許可となるように設定されている。但し、これに限らず、何れか一方が許可である場合にも最終的なトレイに対する印刷の権限を許可にしてもよい。更に、図６Ｆに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００４５】
更に、図６Ｄに示すように、トレイに搭載されている用紙のタイプがオリジナル用紙タイプである場合には、トレイに積載されている用紙のタイプに対して直接的に設定されているトレイ開閉の権限を最終的なトレイに対するトレイ開閉の権限としている。また、図６Ｅに示すように、トレイに搭載されている用紙のタイプがオリジナル用紙タイプである場合には、トレイに積載されている用紙のタイプに対して直接的に設定されている印刷の権限を最終的なトレイに対する印刷の権限としている。
【００４６】
例えば、トレイ＃２には、用紙タイプがオリジナル＃１である用紙が積載されているが、図６Ｂの表では、トレイ＃２に積載されているオリジナル＃１に対しては、トレイ開閉の権限が与えられ、印刷の権限も与えられているので、図６Ｄに示すように、トレイ開閉が許可され、図６Ｅに示すように、印刷が許可され、図６Ｆに示すように、ここに積載されている用紙タイプであるオリジナル＃１の画面表示もトレイ＃２の部分に重ねてされる。また、用紙タイプ選択の画面では、オリジナル＃１の用紙タイプは選択可能になる。
【００４７】
また、例えば、トレイ＃３には、用紙タイプがオリジナル＃２である用紙が積載されているが、図６Ｂの表では、トレイ＃３に積載されているオリジナル＃２に対しては、トレイ開閉の権限が与えられておらず、印刷の権限も与えられていていないので、図６Ｄに示すように、トレイ開閉が禁止され、図６Ｅに示すように、印刷が禁止され、図６Ｆに示すように、ここに積載されている用紙タイプであるオリジナル＃２の画面表示はトレイ＃３の部分に重ねてされない。また、他の何れのトレイに対しても選択可能になっていないならば、用紙タイプ選択の画面では、オリジナル＃２の用紙タイプは選択不可能になる
［第６の実施の形態］
図７Ａ乃至図７Ｇを参照すると、トレイに割り当てられている権限と用紙タイプに関連した権限と用紙サイズに関連した権限の３つの組合せで最終的な権限を決定する場合（例えば、３つの権限がある場合にのみ最終的な権限を与えるような場合。但し、これには限定されない。）には、図７Ａ、図７Ｂ及び図７Ｃに示すような権限の設定があり、図７Ｄに示すように各トレイにタイプとサイズで区別される用紙が積載されていれば、図７Ｅに示すようなトレイ開閉の権限が決定され、図７Ｆに示すような印刷の権限が決定される。また、図７Ｇに示すように表紙サイズの画面表示が決定される。また、用紙サイズ選択画面においては、図７Ｇにおいてトレイに重ねて表示されるとされている用紙サイズが選択可能な用紙サイズとして表示される。
【００４８】
図７Ｅに示すように、トレイに対して直接的に設定されているトレイ開閉の権限と、トレイに積載されている用紙のタイプに対して直接的に設定されているトレイ開閉の権限と、トレイに積載されている用紙のサイズに設定されているトレイ開閉の権限の全部が許可である場合に最終的なトレイに対するトレイ開閉の権限が許可となるように設定されている。但し、これに限らず、何れか一つ又は二つが許可である場合にも最終的なトレイに対するトレイ開閉の権限を許可にしてもよい。また、図７Ｆに示すように、トレイに対して直接的に設定されている印刷の権限と、トレイに積載されている用紙のタイプに対して直接的に設定されている印刷の権限と、トレイに積載されている用紙のサイズに設定されている印刷の権限の双方が許可である場合に最終的なトレイに対する印刷の権限が許可となるように設定されている。但し、これに限らず、何れか一つ又は二つが許可である場合にも最終的なトレイに対する印刷の権限を許可にしてもよい。更に、図７Ｇに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００４９】
例えば、トレイ＃１には、タイプが厚紙でサイズがＡ４の用紙が積載されているが、図７Ａの表では、Ａ３の用紙サイズに対しては、トレイ開閉の権限が与えられ、印刷の権限も与えられており、図７Ｂの表では、普通紙に対しては、トレイ開閉の権限が与えられ、印刷の権限も与えられており、図７Ｃの表では、トレイ＃１に対しては、トレイ開閉の権限が与えられ、印刷の権限も与えられているので、トレイ＃１に対しては、図７Ｅに示すように、トレイ開閉が許可され、図７Ｆに示すように、印刷が許可され、図７Ｇに示すように、ここに積載されている用紙サイズＡ４の画面表示もトレイ＃１の部分に重ねてされる。更に、用紙選択画面において用紙サイズＡ３が選択可能になる。
【００５０】
また、例えば、トレイ＃３には、タイプが厚紙でサイズがＢ５の用紙が積載されているが、図７Ａの表では、Ｂ５の用紙サイズに対しては、トレイ開閉の権限が与えられ、印刷の権限も与えられており、図７Ｂの表では、厚紙に対しては、トレイ開閉の権限が与えられ、印刷の権限も与えられているが、図７Ｃの表では、トレイ＃３に対しては、トレイ開閉の権限も印刷の権限も与えられていないので、トレイ＃３に対しては、図７Ｅに示すように、トレイ開閉が禁止され、図７Ｆに示すように、印刷が禁止され、図７Ｇに示すように、ここに積載されている用紙サイズＢ５の画面表示はトレイ＃１の部分に重ねてされない。更に、他の何れのトレイに対しても選択可能になっていないならば、用紙選択画面において用紙サイズＢ５が選択不可能になる
［第７の実施の形態］
図８Ａ乃至図８Ｆは、トレイに割り当てられている権限と用紙タイプに関連した権限と用紙サイズに関連した権限の３つの組合せで最終的な権限を決定する場合（例えば、３つの権限がある場合にのみ最終的な権限を与えるような場合。但し、これには限定されない。）において、オリジナル用紙タイプの用紙が積載されているトレイがある場合を示す。
【００５１】
図８Ａ乃至図８Ｃに示すような権限の設定があり（特に、オリジナル用紙タイプに対しては、図８Ｂに示すような権限の設定があり）、図８Ｄに示すようにタイプとサイズで区別される用紙が各トレイに積載されている場合には、図８Ｅに示すようなトレイ開閉の権限が決定され、図８Ｆに示すような印刷の権限が決定される。また、図８Ｇに示すように表紙サイズの画面表示が決定される。また、用紙サイズ選択画面においては、図８Ｇにおいてトレイに重ねて表示されるとされている用紙サイズが選択可能な用紙サイズとして表示される。
【００５２】
図８Ｅに示すように、トレイに対して直接的に設定されているトレイ開閉の権限と、トレイに積載されている用紙のタイプに対して直接的に設定されているトレイ開閉の権限と、トレイに積載されている用紙のサイズに設定されているトレイ開閉の権限の全部が許可である場合に最終的なトレイに対するトレイ開閉の権限が許可となるように設定されている。但し、これに限らず、何れか一つ又は二つが許可である場合にも最終的なトレイに対するトレイ開閉の権限を許可にしてもよい。また、図８Ｆに示すように、トレイに対して直接的に設定されている印刷の権限と、トレイに積載されている用紙のタイプに対して直接的に設定されている印刷の権限と、トレイに積載されている用紙のサイズに設定されている印刷の権限の双方が許可である場合に最終的なトレイに対する印刷の権限が許可となるように設定されている。但し、これに限らず、何れか一つ又は二つが許可である場合にも最終的なトレイに対する印刷の権限を許可にしてもよい。更に、図８Ｇに示すように、開閉可能であり且つ印刷可能であることが設定されたトレイに積載されている用紙のサイズがそのトレイに重ねて表示される。更に、開閉可能か否かにかかわらず印刷可能であるトレイに積載されている用紙のサイズが選択可能になる。
【００５３】
更に、図８Ｄに示すように、トレイに搭載されている用紙のタイプがオリジナル用紙タイプである場合には、トレイに対して直接的に設定されているトレイ開閉の権限と、トレイに積載されている用紙のタイプに対して直接的に設定されているトレイ開閉の権限の双方に基づいて最終的なトレイに対するトレイ開閉の権限を決めている。また、図８Ｅに示すように、トレイに搭載されている用紙のタイプがオリジナル用紙タイプである場合には、トレイに対して直接的に設定されているトレイ開閉の権限と、トレイに積載されている用紙のタイプに対して直接的に設定されている印刷の権限の双方に基づいて最終的なトレイに対する印刷の権限を決定している。
【００５４】
例えば、トレイ＃２には、オリジナル＃１の用紙が積載されているが、図８Ｂの表では、トレイ＃２に積載されているオリジナル＃１に対しては、トレイ開閉の権限が与えられ、印刷の権限も与えられており、図８Ｃの表では、トレイ＃２に対しては、トレイ開閉の権限が与えられ、印刷の権限も与えられているので、トレイ＃２に対しては、図８Ｅに示すように、トレイ開閉が許可され、図８Ｆに示すように、印刷が許可され、図８Ｇに示すように、ここに積載されている用紙タイプであるオリジナル＃１の画面表示もトレイ＃２の部分に重ねてされる。
【００５５】
また、例えば、トレイ＃３には、オリジナル＃２の用紙が積載されているが、図８Ｂの表では、トレイ＃３に積載されているオリジナル＃２に対しては、トレイ開閉の権限が与えられておらず、印刷の権限も与えられておらず、また、図８Ｃの表では、トレイ＃３に対しても、トレイ開閉の権限が与えられておらず、印刷の権限も与えられていないので、トレイ＃３に対しては、図８Ｅに示すように、トレイ開閉が禁止され、図８Ｆに示すように、印刷が禁止され、図８Ｇに示すように、ここに積載されている用紙タイプであるオリジナル＃２の画面表はトレイ＃の部分に重ねてされない。
【００５６】
［第８の実施の形態］
トレイに割り当てられている権限と用紙タイプに関連した権限との２つの組合せで最終的な権限を決定してもよいし、トレイに割り当てられている権限と用紙サイズに関連した権限との２つの組合せで最終的な権限を決定してもよい。
【００５７】
［第９の実施の形態］
上記の実施の形態では、ユーザ毎に、トレイに直接的に割り当てる印刷の許可／禁止に関する権限を設定することにしている。また、同様に、ユーザ毎に、用紙サイズに割り当てる印刷の許可／禁止に関する権限を設定することにしている。更に、同様に、ユーザ毎に、用紙タイプに割り当てる印刷の許可／禁止に関する権限を設定することにしている。
【００５８】
本実施形態では、上記の３種類のうちの少なくとも１種類の権限に関しては、ユーザ間で共通にする。例えば、トレイ毎に直接的に割り当てる印刷の許可／禁止をユーザ間で共通にする。一部の権限がユーザ間で共通であったとしても、それと組み合わせる他の権限（例えば、各ユーザに対して用紙種類毎に定める印刷の許可／禁止に関する権限）をユーザ毎に設定することにより、全体としては、ユーザ毎に最終的なトレイに対する権限を異ならせることができるので、セキュリティを確保することができる。
【００５９】
上記の内容は、トレイに直接的に割り当てる給紙トレイ開閉の許可／禁止に関する権限、用紙サイズに割り当てる給紙トレイ開閉の許可／禁止に関する権限、及び、用紙タイプに割り当てる給紙トレイ開閉の許可／禁止に関する権限についても同様である。
【００６０】
［共通の実施の形態］
次に、図９に示すように、設定画面には、複合機の画像が表示されるが、この複合機の各トレイの部分にそのトレイに積載されている用紙のサイズを重ねて表示することが可能となっている。図１０に示すように、実際には、トレイ開閉の権限及び印刷の権限が与えられているトレイに対してのみ、用紙サイズを重ねて表示するようにしている。図１０の例では、トレイ＃４に対しては、トレイ開閉の権限及び印刷の権限のうちの少なくとも一方が与えられていないので、用紙サイズは重ねて表示されていない。トレイ＃１乃至＃３及び＃５に対しては、トレイ開閉の権限及び印刷の権限の双方が与えられているので、用紙サイズは重ねて表示されている。
【００６１】
トレイに対してトレイ開閉の権限が与えられ、印刷の権限も与えられている場合にのみ、そのトレイに積載されている用紙サイズの画面表示をトレイを画面表示する部分に重ねてする例を説明したが、他の例として、トレイに対してトレイ開閉の権限が与えられていなくても、印刷の権限も与えられていれば、そのトレイに積載されている用紙サイズの画面表示をトレイを画面表示する部分に重ねてしてもよい。
【００６２】
次に動作の説明をする。
【００６３】
図１１Ａを参照すると、ユーザ認証を完了してから（ステップＳ３０１）、ユーザＩＤに基づいて権限テーブルを検索し、そのユーザがトレイ開閉権限を有するユーザであれば（ステップＳ３０３でＹＥＳ）、トレイ開閉を許可するためにトレイ開閉フラグをセットし（ステップＳ３０５）、そのユーザがトレイ開閉権限を有するユーザでなければ（ステップＳ３０３でＮＯ）、トレイ開閉を禁止するためにトレイ開閉フラグをリセットする（ステップＳ３０７）。次に、そのユーザが印刷権限を有するユーザであれば（ステップＳ３０９でＹＥＳ）、印刷を許可するために印刷フラグをセットし（ステップＳ３１１）、そのユーザが印刷権限を有するユーザでなければ（ステップＳ３０９でＮＯ）、印刷を禁止するために印刷フラグをリセットする（ステップＳ３１３）。
【００６４】
図１１Ｂを参照すると、トレイ開閉ボタンが押下された時に（ステップＳ３２１）、トレイ開閉フラグがセットされていてトレイ開閉が許可されていることを示しているならば（ステップＳ３２３でＹＥＳ）、トレイ開閉できる状態に移行し（ステップＳ３２５）、トレイ開閉フラグがリセットされていてトレイ開閉が禁止されていることを示しているならば（ステップＳ３２３でＮＯ）、トレイ開閉できないメッセージを表示する（ステップＳ３２７）。
【００６５】
図１１Ｃを参照すると、印刷要求を受けた時に（ステップＳ３３１）、印刷フラグがセットされていて印刷が許可されていることを示しているならば（ステップＳ３３３でＹＥＳ）、印刷を実行し（ステップＳ３３５）、印刷フラグがリセットされていて印刷が禁止されていることを示しているならば（ステップＳ３３３でＮＯ）、印刷できないメッセージを表示する（ステップＳ３３７）。
【００６６】
［第１の実施の形態］
次に、各ユーザがトレイ毎にトレイ開閉の権限と印刷の権限を有する場合の動作について説明する。
【００６７】
図１２Ａを参照すると、ユーザ認証を完了してから（ステップＳ３４１）、ユーザＩＤに基づいて権限テーブルを検索し、そのユーザがトレイ開閉権限を有するユーザであれば（ステップＳ３４３でＹＥＳ）、トレイ開閉フラグをセットしてからトレイ毎の開閉許可情報を取得し（ステップＳ３４５）、そのユーザがトレイ開閉権限を有するユーザでなければ（ステップＳ３４３でＮＯ）、トレイ開閉を禁止するためにトレイ開閉フラグをリセットする（ステップＳ３４７）。次に、そのユーザが印刷権限を有するユーザであれば（ステップＳ３４９でＹＥＳ）、トレイ毎の印刷を許可するために印刷許可情報を取得し（ステップＳ３５１）、そのユーザが印刷権限を有するユーザでなければ（ステップＳ３４９でＮＯ）、印刷を禁止するために印刷フラグをリセットする（ステップＳ３５３）
図１２Ｂを参照すると、トレイ毎に設けられたトレイ開閉ボタンが押下された時に（ステップＳ３６１）、トレイ開閉フラグがリセットされていてトレイ開閉が禁止されていることを示しているならば（ステップＳ３６３でＹＥＳ）、トレイ開閉できないメッセージを表示する（ステップＳ３６７）。トレイ開閉フラグがセットされていてトレイ開閉が許可されていることを示しているならば（ステップＳ３６３でＮＯ）、当該トレイに対応する開閉許可情報に基づいて当該トレイの開閉が禁止されていることが判断されたならば（ステップＳ３６５でＹＥＳ）、トレイ開閉できないメッセージを表示する（ステップＳ３６７）。当該トレイに対応する開閉許可情報に基づいて当該トレイの開閉が許可されていることが判断されたならば（ステップＳ３６５でＮＯ）、当該トレイを開閉できる状態へ移行する（ステップＳ３６９）。
【００６８】
図１２Ｃを参照すると、印刷要求を受けた時に（ステップＳ３７１）、印刷フラグがリセットされていて印刷が禁止されていることを示しているならば（ステップＳ３７３でＹＥＳ）、印刷できないメッセージを表示する（ステップＳ３７７）。印刷フラグがセットされていて印刷が許可されていることを示しているならば（ステップＳ３７３でＮＯ）、当該トレイに対応する印刷情報に基づいて当該トレイの用紙を用いた印刷が禁止されていることが判断されたならば（ステップＳ３７５でＹＥＳ）、印刷できないメッセージを表示する（ステップＳ３７７）。当該トレイに対応する印刷許可情報に基づいて当該トレイの用紙を用いた印刷が許可されていることが判断されたならば（ステップＳ３７５でＮＯ）、当該トレイの用紙を用いた印刷を実行する（ステップＳ３７９）。
【００６９】
［第２の実施の形態］
次に、各ユーザが用紙タイプ毎にトレイ開閉の権限と印刷の権限を有する場合の動作について説明する。
【００７０】
図１３Ａを参照すると、ユーザ認証を完了してから（ステップＳ３８１）、ユーザＩＤに基づいて権限テーブルを検索し、そのユーザがトレイ開閉権限を有するユーザであれば（ステップＳ３８３でＹＥＳ）、トレイ開閉フラグをセットしてから用紙タイプ毎の開閉許可情報を取得し（ステップＳ３８５）、そのユーザがトレイ開閉権限を有するユーザでなければ（ステップＳ３８３でＮＯ）、トレイ開閉を禁止するためにトレイ開閉フラグをリセットする（ステップＳ３８７）。次に、そのユーザが印刷権限を有するユーザであれば（ステップＳ３８９でＹＥＳ）、用紙タイプ毎の印刷を許可するために印刷許可情報を取得し（ステップＳ３９１）、そのユーザが印刷権限を有するユーザでなければ（ステップＳ３８９でＮＯ）、印刷を禁止するために印刷フラグをリセットする（ステップＳ３９３）。
【００７１】
図１３Ｂを参照すると、トレイ毎に設けられたトレイ開閉ボタンが押下された時に（ステップＳ４０１）、トレイ開閉フラグがリセットされていてトレイ開閉が禁止されていることを示しているならば（ステップＳ４０３でＹＥＳ）、トレイ開閉できないメッセージを表示する（ステップＳ４０７）。トレイ開閉フラグがセットされていてトレイ開閉が許可されていることを示しているならば（ステップＳ４０３でＮＯ）、当該トレイに積載されている用紙のタイプに対応する開閉許可情報に基づいて当該トレイの開閉が禁止されていることが判断されたならば（ステップＳ４０５でＹＥＳ）、トレイ開閉できないメッセージを表示する（ステップＳ４０７）。当該トレイに積載されている用紙のタイプに対応する開閉許可情報に基づいて当該トレイの開閉が許可されていることが判断されたならば（ステップＳ４０５でＮＯ）、当該トレイを開閉できる状態へ移行する（ステップＳ４０９）。
【００７２】
図１３Ｃを参照すると、印刷要求を受けた時に（ステップＳ４１１）、印刷フラグがリセットされていて印刷が禁止されていることを示しているならば（ステップＳ４１３でＹＥＳ）、印刷できないメッセージを表示する（ステップＳ４１７）。印刷フラグがセットされていて印刷が許可されていることを示しているならば（ステップＳ４１３でＮＯ）、当該トレイに積載されている用紙のタイプに対応する印刷情報に基づいて当該トレイの用紙を用いた印刷が禁止されていることが判断されたならば（ステップＳ４１５でＹＥＳ）、印刷できないメッセージを表示する（ステップＳ４１７）。当該トレイに積載されている用紙のタイプに対応する印刷許可情報に基づいて当該トレイの用紙を用いた印刷が許可されていることが判断されたならば（ステップＳ４１５でＮＯ）、当該トレイの用紙を用いた印刷を実行する（ステップＳ４１９）。
【００７３】
［第３の実施の形態］
次に、各ユーザが用紙サイズ毎にトレイ開閉の権限と印刷の権限を有する場合の動作について説明する。
【００７４】
図１４Ａを参照すると、ユーザ認証を完了してから（ステップＳ４２１）、ユーザＩＤに基づいて権限テーブルを検索し、そのユーザがトレイ開閉権限を有するユーザであれば（ステップＳ４２３でＹＥＳ）、トレイ開閉フラグをセットしてから用紙サイズ毎の開閉許可情報を取得し（ステップＳ４２５）、そのユーザがトレイ開閉権限を有するユーザでなければ（ステップＳ４２３でＮＯ）、トレイ開閉を禁止するためにトレイ開閉フラグをリセットする（ステップＳ４２７）。次に、そのユーザが印刷権限を有するユーザであれば（ステップＳ４２９でＹＥＳ）、用紙サイズ毎の印刷を許可するために印刷許可情報を取得し（ステップＳ４３１）、そのユーザが印刷権限を有するユーザでなければ（ステップＳ４２９でＮＯ）、印刷を禁止するために印刷フラグをリセットする（ステップＳ４３３）。
【００７５】
図１４Ｂを参照すると、トレイ毎に設けられたトレイ開閉ボタンが押下された時に（ステップＳ４６１）、トレイ開閉フラグがリセットされていてトレイ開閉が禁止されていることを示しているならば（ステップＳ４６３でＹＥＳ）、トレイ開閉できないメッセージを表示する（ステップＳ４６７）。トレイ開閉フラグがセットされていてトレイ開閉が許可されていることを示しているならば（ステップＳ４６３でＮＯ）、当該トレイに積載されている用紙のサイズに対応する開閉許可情報に基づいて当該トレイの開閉が禁止されていることが判断されたならば（ステップＳ４６５でＹＥＳ）、トレイ開閉できないメッセージを表示する（ステップＳ４６７）。当該トレイに積載されている用紙のサイズに対応する開閉許可情報に基づいて当該トレイの開閉が許可されていることが判断されたならば（ステップＳ４６５でＮＯ）、当該トレイを開閉できる状態へ移行する（ステップＳ４６９）。
【００７６】
図１４Ｃを参照すると、印刷要求を受けた時に（ステップＳ４７１）、印刷フラグがリセットされていて印刷が禁止されていることを示しているならば（ステップＳ４７３でＹＥＳ）、印刷できないメッセージを表示する（ステップＳ４７７）。印刷フラグがセットされていて印刷が許可されていることを示しているならば（ステップＳ４７３でＮＯ）、当該トレイに積載されている用紙のサイズに対応する印刷情報に基づいて当該トレイの用紙を用いた印刷が禁止されていることが判断されたならば（ステップＳ４７５でＹＥＳ）、印刷できないメッセージを表示する（ステップＳ４７７）。当該トレイに積載されている用紙のサイズに対応する印刷許可情報に基づいて当該トレイの用紙を用いた印刷が許可されていることが判断されたならば（ステップＳ４７５でＮＯ）、当該トレイの用紙を用いた印刷を実行する（ステップＳ４７９）。
【００７７】
［第４の実施の形態］
次に、各ユーザが用紙タイプ毎及び用紙サイズ毎のトレイ開閉の権限と印刷の権限を有する場合の動作について説明する。
【００７８】
図１５を参照すると、ユーザ認証を完了してから（ステップＳ４２１）、ユーザＩＤに基づいて権限テーブルを検索し、そのユーザがトレイ開閉権限を有するユーザであれば（ステップＳ４２３でＹＥＳ）、トレイ開閉フラグをセットしてから用紙タイプ毎の開閉許可情報及び用紙サイズ毎の開閉許可情報を取得し（ステップＳ４８３、Ｓ４２５）、そのユーザがトレイ開閉権限を有するユーザでなければ（ステップＳ４２３でＮＯ）、トレイ開閉を禁止するためにトレイ開閉フラグをリセットする（ステップＳ４２７）。次に、そのユーザが印刷権限を有するユーザであれば（ステップＳ４２９でＹＥＳ）、用紙サイズ毎の印刷を許可するために印刷許可情報を取得し（ステップＳ４３１）、そのユーザが印刷権限を有するユーザでなければ（ステップＳ４２９でＮＯ）、印刷を禁止するために印刷フラグをリセットする（ステップＳ４３３）。
【００７９】
図１４Ｂを参照すると、トレイ開閉ボタンが押下された時に（ステップＳ４６１）、トレイ開閉フラグがリセットされていてトレイ開閉が禁止されていることを示しているならば（ステップＳ４６３でＹＥＳ）、トレイ開閉できないメッセージを表示する（ステップＳ４６７）。トレイ開閉フラグがセットされていてトレイ開閉が許可されていることを示しているならば（ステップＳ４６３でＮＯ）、当該トレイに積載されている用紙のサイズに対応する開閉許可情報に基づいて当該トレイの開閉が禁止されていることが判断されたならば（ステップＳ４６５でＹＥＳ）、トレイ開閉できないメッセージを表示する（ステップＳ４６７）。当該トレイに積載されている用紙のタイプに対応する開閉許可情報及び用紙のサイズに対応する開閉許可情報に基づいて当該トレイの開閉が許可されていることが判断されたならば（ステップＳ４６５でＮＯ）、当該トレイを開閉できる状態へ移行する（ステップＳ４６９）。
【００８０】
図１４Ｃを参照すると、印刷要求を受けた時に（ステップＳ４７１）、印刷フラグがリセットされていて印刷が禁止されていることを示しているならば（ステップＳ４７３でＹＥＳ）、印刷できないメッセージを表示する（ステップＳ４７７）。印刷フラグがセットされていて印刷が許可されていることを示しているならば（ステップＳ４７３でＮＯ）、当該トレイに積載されている用紙のサイズに対応する印刷情報に基づいて当該トレイの用紙を用いた印刷が禁止されていることが判断されたならば（ステップＳ４７５でＹＥＳ）、印刷できないメッセージを表示する（ステップＳ４７７）。当該トレイに積載されている用紙のタイプ及びサイズに対応する印刷許可情報に基づいて当該トレイの用紙を用いた印刷が許可されていることが判断されたならば（ステップＳ４７５でＮＯ）、当該トレイの用紙を用いた印刷を実行する（ステップＳ４７９）。
【００８１】
［第５の実施の形態］
第５の実施の形態の動作は、第４の実施の形態の動作と同様であるが、次の点が異なる。第４の実施の形態のステップＳ４６５では、当該トレイに積載されている用紙のタイプに対応する開閉許可情報及び用紙のサイズに対応する開閉許可情報に基づいて当該トレイの開閉が許可されているか否かを判断するが、第５の実施の形態では、オリジナルの用紙タイプが積載されているトレイについては、当該トレイに積載されている用紙のタイプに対応する開閉許可情報及び用紙のサイズに対応する開閉許可情報の代わりにオリジナルの用紙タイプの対応する開閉情報に基づいて当該トレイの開閉が許可されているか否かを判断する。
【００８２】
［第６の実施の形態］
次に、各ユーザが用紙タイプ毎及び用紙サイズ毎のトレイ開閉の権限と印刷の権限を有する場合の動作について説明する。
【００８３】
図１６を参照すると、ユーザ認証を完了してから（ステップＳ４２１）、ユーザＩＤに基づいて権限テーブルを検索し、そのユーザがトレイ開閉権限を有するユーザであれば（ステップＳ４２３でＹＥＳ）、トレイ開閉フラグをセットしてからトレイ毎の開閉許可情報、用紙タイプ毎の開閉許可情報及び用紙サイズ毎の開閉許可情報を取得し（ステップＳ４８５、Ｓ４８７及びＳ４２５）、そのユーザがトレイ開閉権限を有するユーザでなければ（ステップＳ４２３でＮＯ）、トレイ開閉を禁止するためにトレイ開閉フラグをリセットする（ステップＳ４２７）。次に、そのユーザが印刷権限を有するユーザであれば（ステップＳ４２９でＹＥＳ）、用紙サイズ毎の印刷を許可するために印刷許可情報を取得し（ステップＳ４３１）、そのユーザが印刷権限を有するユーザでなければ（ステップＳ４２９でＮＯ）、印刷を禁止するために印刷フラグをリセットする（ステップＳ４３３）。
【００８４】
図１４Ｂを参照すると、トレイ開閉ボタンが押下された時に（ステップＳ４６１）、トレイ開閉フラグがリセットされていてトレイ開閉が禁止されていることを示しているならば（ステップＳ４６３でＹＥＳ）、トレイ開閉できないメッセージを表示する（ステップＳ４６７）。トレイ開閉フラグがセットされていてトレイ開閉が許可されていることを示しているならば（ステップＳ４６３でＮＯ）、当該トレイに積載されている用紙のサイズに対応する開閉許可情報に基づいて当該トレイの開閉が禁止されていることが判断されたならば（ステップＳ４６５でＹＥＳ）、トレイ開閉できないメッセージを表示する（ステップＳ４６７）。トレイ毎の開閉許可情報並びに当該トレイに対応する用紙タイプ毎の開閉許可情報及び当該トレイに対応する用紙サイズ毎の開閉許可情報に基づいて当該トレイの開閉が許可されていることが判断されたならば（ステップＳ４６５でＮＯ）、当該トレイを開閉できる状態へ移行する（ステップＳ４６９）。
【００８５】
図１４Ｃを参照すると、印刷要求を受けた時に（ステップＳ４７１）、印刷フラグがリセットされていて印刷が禁止されていることを示しているならば（ステップＳ４７３でＹＥＳ）、印刷できないメッセージを表示する（ステップＳ４７７）。印刷フラグがセットされていて印刷が許可されていることを示しているならば（ステップＳ４７３でＮＯ）、トレイ毎の印刷許可情報並びに当該トレイに対応する用紙タイプ毎の印刷許可情報及び当該トレイに対応する用紙サイズ毎の印刷許可情報に基づいて当該トレイの用紙を用いた印刷が禁止されていることが判断されたならば（ステップＳ４７５でＹＥＳ）、印刷できないメッセージを表示する（ステップＳ４７７）。トレイ毎の印刷許可情報並びに当該トレイに対応する用紙タイプ毎の印刷許可情報及び当該トレイに対応する用紙サイズ毎の印刷許可情報に基づいて当該トレイの用紙を用いた印刷が許可されていることが判断されたならば（ステップＳ４７５でＮＯ）、当該トレイの用紙を用いた印刷を実行する（ステップＳ４７９）。
【００８６】
［第７の実施の形態］
第７の実施の形態の動作は、第６の実施の形態の動作と同様であるが、次の点が異なる。第６の実施の形態のステップＳ４６５では、トレイ毎の印刷許可情報並びに当該トレイに対応する用紙タイプ毎の印刷許可情報及び当該トレイに対応する用紙サイズ毎の印刷許可情報に基づいてに基づいて当該トレイの開閉が許可されているか否かを判断するが、第５の実施の形態では、オリジナルの用紙タイプが積載されているトレイについては、トレイ毎の印刷許可情報並びに当該トレイに対応する用紙タイプ毎の印刷許可情報及び当該トレイに対応する用紙サイズ毎の印刷許可情報の代わりにトレイ毎の印刷許可情報及び該トレイに対応するオリジナルの用紙タイプ毎の印刷許可情報に基づいてオリジナルの用紙タイプの対応する開閉情報に基づいて当該トレイの開閉が許可されているか否かを判断する。
［共通の実施の形態］
次に、操作画面の表示する複合機本体の画像のトレイ部分に用紙サイズを重ねて表示するかしないかの制御と、用紙サイズ選択画面においてどの用紙サイズを表示するかを決定するための制御をする方法について説明する。
【００８７】
図１７を参照すると、ステップＳ５４１ＳからステップＳ５４１Ｅまでの以下の処理を全トレイについて繰り返す。
【００８８】
現在の繰り返しに該当するトレイに対してトレイ開閉が許可されていて（ステップＳ５４３でＹＥＳ）、印刷が許可されているならば（ステップＳ５４５でＹＥＳ）操作画面に表示されている該当トレイの部分に該当トレイに積載されている用紙のサイズを重ねて表示するための設定をし（ステップＳ５４７）、続いて、該当トレイに積載されている用紙のサイズを用紙サイズ選択画面において選択できる用紙サイズとして設定する（ステップＳ５４９）。そうでなければ（ステップ５４３でＮＯ又はステップＳ５４５でＮＯ）、操作画面に表示されている該当トレイの部分に該当トレイに積載されている用紙のサイズを重ねて表示しないための設定をする（ステップＳ５４９）。
【００８９】
なお、ステップＳ５４９で選択できる用紙サイズとして設定された用紙サイズは、実際に用紙サイズ選択画面を表示するときに選択可能な用紙サイズとして表示される。
【００９０】
図示はしないが、同様に、現在の繰り返しに該当するトレイに対してトレイ開閉が許可されていて、印刷が許可されているならば、操作画面に表示されている該当トレイの部分に該当トレイに積載されている用紙のタイプを重ねて表示するための設定をし、続いて、該当トレイに積載されている用紙のタイプを用紙タイプ選択画面において選択できる用紙サタイプとして設定し、そうでなければ、操作画面に表示されている該当トレイの部分に該当トレイに積載されている用紙のタイプを重ねて表示しないための設定をするようにしてもよい。また、この場合、上記で選択できる用紙タイプとして設定された用紙タイプは、実際に用紙タイプ選択画面を表示するときに選択可能な用紙タイプとして表示される。
【００９１】
また、トレイにおいて、用紙がないとき、又は、用紙サイズの設定と実際の用紙サイズが異なるときに、そのトレイに対して解錠するようにしてもよい。
【００９２】
［共通の実施の形態］
図１００１及び図１００２は、共通の実施の形態による複合機８００の構成などを示すものである。
【００９３】
図１８及び図１９に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００９４】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００９５】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１９に示す構成要素の他に、図１９は示されないが図１８に示される構成要素も含む。また、図１８に示すように、読取装置本体８２２には、原稿台８２６が備わる。
【００９６】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００９７】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００９８】
手差し給送部２０は、シートを積載可能な手差しトレイ＃２１と、手差しトレイ＃２１に積載されたシートを１枚ずつ分離給送する分離給送部２２と、を備えている。手差しトレイ＃２１は、複合機本体８３０に回動自在に支持されており、手差し給送する際には、所定の角度に固定させることでシートを積載可能になる。分離給送部２２は、手差しトレイ＃２１に積載されたシートを給送するピックアップローラ２３と、ピックアップローラ２３により給送されるシートを１枚ずつに分離する分離ローラ２４及び分離パッド２５と、を備えている。
【００９９】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１００】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１０１】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１０２】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１０３】
操作パネル部８４３は、所定の情報を表示する表示部８４５と、ユーザが原稿読取装置８２０及び複合機本体８３０への指示を入力する入力部８４７と、を備えている。本実施形態においては、操作パネル部８４３は、読取装置本体８２２の正面側に配設されている。なお、正面側は図１８の紙面の手前側に対応し、裏面側は図１８の背面側に対応する。
【０１０４】
図１９に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、ユーザによる操作パネル部８４３への操作に基づいて、シート給送部１０、手差し給送部２０、画像形成部３０及び原稿読取装置８２０の動作を統合して制御し、シートに画像を形成させる。
【０１０５】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１０６】
ユーザによる操作パネル部８４３の入力部８４７への入力により、画像形成開始信号が発信されると、ユーザにより原稿自動給送部８２４に載置された読取原稿が原稿読取位置に向けて自動給送され、原稿読取位置で読取装置本体８２２によって画像が読み取られる。
【０１０７】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１０８】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１０９】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１１０】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１１１】
なお、上記の画像形成装置は、ハードウェア、ソフトウェア又はこれらの組合わせにより実現することができる。また、上記の画像形成装置に対する制御方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１１２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１３】
本実施形態によれば、ユーザは、トレイを解錠するための鍵を持ち歩く必要がなくなる。
【０１１４】
また、ユーザを認証することにより容易にトレイ開閉許可／禁止及び印字許可／禁止の制御をすることができる。
【０１１５】
更に、トレイに積載する用紙のサイズやタイプを変更した場合、それに応じた、そのトレイに対するトレイ開閉許可／禁止及び印字許可／禁止を切り替えることができる。
【０１１６】
各ユーザに対して、トレイ開閉許可／禁止及び印字許可／禁止の制御を切り替えることができる。また、各ユーザに対して、その制御のための設定をした後に、それを変更することができる。
【０１１７】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１１８】
本発明は、画像形成装置におけるトレイ開閉の許可／禁止の制御に利用することができる。また、本発明は、画像形成装置における印刷の許可／禁止の制御に利用することができる。
【符号の説明】
【０１１９】
３０  画像形成部（画像形成装置）
８２０  原稿読取装置
８３０  複合機本体
８４３  操作パネル
【図１Ａ】
2019093580.tif 000003
【図１Ｂ】
2019093580.tif 000004
【図１Ｃ】
2019093580.tif 000005
【図１Ｄ】
2019093580.tif 000006
【図１Ｅ】
2019093580.tif 000007
【図２Ａ】
2019093580.tif 000008
【図２Ｂ】
2019093580.tif 000009
【図２Ｃ】
2019093580.tif 000010
【図２Ｄ】
2019093580.tif 000011
【図２Ｅ】
2019093580.tif 000012
【図３Ａ】
2019093580.tif 000013
【図３Ｂ】
2019093580.tif 000014
【図３Ｃ】
2019093580.tif 000015
【図３Ｄ】
2019093580.tif 000016
【図３Ｅ】
2019093580.tif 000017
【図４Ａ】
2019093580.tif 000018
【図４Ｂ】
2019093580.tif 000019
【図４Ｃ】
2019093580.tif 000020
【図４Ｄ】
2019093580.tif 000021
【図４Ｅ】
2019093580.tif 000022
【図５Ａ】
2019093580.tif 000023
【図５Ｂ】
2019093580.tif 000024
【図５Ｃ】
2019093580.tif 000025
【図５Ｄ】
2019093580.tif 000026
【図５Ｅ】
2019093580.tif 000027
【図５Ｆ】
2019093580.tif 000028
【図６Ａ】
2019093580.tif 000029
【図６Ｂ】
2019093580.tif 000030
【図６Ｃ】
2019093580.tif 000031
【図６Ｄ】
2019093580.tif 000032
【図６Ｅ】
2019093580.tif 000033
【図６Ｆ】
2019093580.tif 000034
【図７Ａ】
2019093580.tif 000035
【図７Ｂ】
2019093580.tif 000036
【図７Ｃ】
2019093580.tif 000037
【図７Ｄ】
2019093580.tif 000038
【図７Ｅ】
2019093580.tif 000039
【図７Ｆ】
2019093580.tif 000040
【図７Ｇ】
2019093580.tif 000041
【図８Ａ】
2019093580.tif 000042
【図８Ｂ】
2019093580.tif 000043
【図８Ｃ】
2019093580.tif 000044
【図８Ｄ】
2019093580.tif 000045
【図８Ｅ】
2019093580.tif 000046
【図８Ｆ】
2019093580.tif 000047
【図８Ｇ】
2019093580.tif 000048
【図９】
2019093580.tif 000049
【図１０】
2019093580.tif 000050
【図１１Ａ】
2019093580.tif 000051
【図１１Ｂ】
2019093580.tif 000052
【図１１Ｃ】
2019093580.tif 000053
【図１２Ａ】
2019093580.tif 000054
【図１２Ｂ】
2019093580.tif 000055
【図１２Ｃ】
2019093580.tif 000056
【図１３Ａ】
2019093580.tif 000057
【図１３Ｂ】
2019093580.tif 000058
【図１３Ｃ】
2019093580.tif 000059
【図１４Ａ】
2019093580.tif 000060
【図１４Ｂ】
2019093580.tif 000061
【図１４Ｃ】
2019093580.tif 000062
【図１５】
2019093580.tif 000063
【図１６】
2019093580.tif 000064
【図１７】
2019093580.tif 000065
【図１８】
2019093580.tif 000066
【図１９】
2019093580.tif 000067